【事件の表示】
　特許第２８０５６８４号「地図データ表示方法」の請求項１ないし３に係る特許に対する特許異議の申立てについて、次のとおり決定する。
【結論】
　訂正を認める。
　特許第２８０５６８４号の請求項１ないし３に係る特許を維持する。
【理由】
１．手続きの経緯
　本件特許第２８０５６８４号に係る出願は、平成４年４月３０日に出願された特願平４−１３７７７６号の一部を特許法第４４条第１項の規定により、平成８年１０月２１日に特許出願されたものであって、平成１０年７月２４日にその特許の設定登録がなされ、その後、平成１１年３月２９日にパイオニア株式会社により特許異議の申立てがなされ、次いで、平成１１年７月２７日付け（平成１１年８月１３日発送）で取消理由通知がなされ、その指定期間内である平成１１年１０月１２日に特許異議意見書提出と共に訂正請求がなされたものである。
２．訂正請求について
２−１．訂正請求の趣旨及び訂正事項
　訂正請求の趣旨は、本件特許第２８０５６８４号の明細書（願書に添付した明細書であって、以下、「特許明細書」という。）を訂正請求書に添付した訂正明細書のとおり訂正することを求めるものである。
　そして、その訂正事項ａ〜ｃは、下記に記載のとおりである。
▲１▼訂正事項ａ
　特許明細書特許請求の範囲の請求項１の記載の一部分である、
「上記記録媒体に記録されている上記地図データの上記複数の縮尺率の尺度の順に表示の要素となる複数のシンボルを配列し、」を、
「フォーマットにより設定されている最大階層数の内、上記記録媒体に記録されている階層数に対応した上記地図データの上記複数の縮尺率の尺度の順に表示の要素となる複数のシンボルを配列し、」と訂正する。
▲２▼訂正事項ｂ
　特許明細書特許請求の範囲の請求項２に、
「上記シンボルの表示形態は、階層表示する領域の一方の全長をＬとし、階層表示する領域内の両端の各マージンをそれぞれＭＵ、ＭＤとし、上記記録媒体に記録されている階層数をＮｍａｘとするとき、
　Ｐ＝｛Ｌ−（ＭＵ十ＭＤ）｝／（Ｎｍａｘ−１）
のピッチＰの間隔で各シンボルが配列され、」という事項を加入訂正する。
▲３▼訂正事項ｃ
　特許明細書の段落【００１３】の記載を、
「【００１３】
　【課題を解決するための手段】
　本発明に係る地図データ表示方法は、フォーマットにより設定されている最大階層数の内、上記記録媒体に記録されている階層数に対応した上記地図データの上記複数の縮尺率の尺度の順に表示の要素となる複数のシンボルを配列し、上記シンボルにより表示されている縮尺率の内の一つを選択することにより対応する縮尺率の地図データを表示することにより、上述の課題を解決する。」と訂正する。
２−２．訂正の目的の適否、新規事項の有無及び拡張・変更の存否
　上記訂正事項ａは、配列される複数のシンボルの構成を特定するものであるから、特許請求の範囲の減縮を目的とするものと認められる。
　上記訂正事項ｂは、シンボルの表示形態の構成を追加するものであるから、特許請求の範囲の減縮を目的とするものと認められる。
　上記訂正事項ｃは、上記訂正事項ａの特許請求の範囲の訂正に伴い、対応する発明の詳細な説明の記載を整合させるための訂正であり、明りようでない記載の釈明を目的とするものと認められる。
　そして、上記訂正事項ａ〜ｃは、願書に添付した明細書又は図面に記載された事項の範囲内のものと認められ、実質上特許請求の範囲を拡張し、又は変更するものとも認められない。
２−３．独立特許要件の判断
２−３−１．訂正明細書の発明
　訂正明細書の発明は、訂正請求書に添付された訂正明細書の特許請求の範囲に記載された次のとおりのものである。
「【請求項１】複数の縮尺率に対応した地図データが記録された記録媒体から地図データを読み出して表示する地図データ表示方法において、
　フォーマットにより設定されている最大階層数の内、上記記録媒体に記録されている階層数に対応した上記地図データの上記複数の縮尺率の尺度の順に表示の要素となる複数のシンボルを配列し、上記シンボルにより表示されている縮尺率の内の一つを選択することにより対応する縮尺率の地図データを表示すること
を特徴とする地図データ表示方法。
　【請求項２】上記シンボルの表示形態は、階層表示する領域の一方の全長をＬとし、階層表示する領域内の両端の各マージンをそれぞれＭＵ、ＭＤとし、上記記録媒体に記録されている階層数をＮｍａｘとするとき、
　Ｐ＝｛Ｌ−（ＭＵ＋ＭＤ）｝／（Ｎｍａｘ−１）
のピッチＰの間隔で各シンボルが配列され、上記選択された縮尺率のシンボルが他のシンボルと区別して表示されること
を特徴とする請求項１記載の地図データ表示方法。
　【請求項３】縮尺レベル選択キーにより上記シンボルにより表示されている縮尺率の階層を上げる方向又は下げる方向に操作すること
を特徴とする請求項１記載の地図データ表示方法。」
２−３−２．刊行物
　特許明細書の請求項１〜３に係る各発明に対して、当審が通知した取消理由で引用した刊行物（実願昭６３−１６６５３９号（実開平２−８７２６４号）のマイクロフィルム）には、以下の発明が記載されていると認められる。
　第６頁第１３行〜第７頁第７行の「１１は異なる縮尺レベル毎に地図データを記憶してあるＣＤ−ＲＯＭ（記憶装置）、１２は所定の地図データをＣＤ−ＲＯＭ１１から読み出すＣＤ−ＲＯＭ制御部、・・・・・１４はＣＤ−ＲＯＭ１１から読みとられた地図データ（描画データ）等を記憶する地図データメモリ、・・・・・ナビゲーション制御部１５−１は、ナビゲーション装置全体をコントロールすると共に、・・・地図データをＣＤ−ＲＯＭ１１から読み取り、該地図データに基づいた画像処理を行って地図画像を発生し」なる記載、
第７頁第１０行〜最下行の「第１の監視手段１５−２は現在表示している地図の縮尺レベルを監視し、第２の監視手段１５−２は該表示地図を縮小または拡大するためにＣＤ−ＲＯＭ１１に準備されている地図データの縮尺レベルを監視する。・・・・・１６ａ，１６ｂは表示地図の縮尺レベル（９〜０）を変更させるレベル切替キーである。」なる記載、
第８頁第７〜１８行の「２１は発光素子であり、それぞれのレベル９〜０（ビューセットＡ，Ｂ，Ｃ）に対応して１２個設けられている。これらの発光素子２１は、バーグラフ状に縦型に構成されており、上側をレベル９に割り当てている。また、発光素子２１は、３段階の表示動作を有している。すなわち、（ｉ）表示地図の縮尺レベルを表示する第１の縮尺レベル表示（ＯＮ１）と、（ｉｉ）ＣＤ−ＲＯＭ１１に準備されている縮小／拡大用地図データの縮尺レベルを表示する第２の縮尺レベル表示（ＯＮ２）と、（ｉｉｉ）消灯（ＯＦＦ）３段階の表示動作を有している。」なる記載、
第９頁第２行〜第１０頁第１行の「第２図のレベル表示において、第１の縮尺レベル表示ＯＮ１により、レベル０のビューセットＡに基づく地図が現在表示されており、第２の縮尺レベル表示ＯＮ２により、表示地域に関してＣＤ−ＲＯＭ１１にはレベル９〜ビューセットＢ迄の地図データが準備されており、・・・・・第１，第２の縮尺レベル表示ＯＮ１，ＯＮ２の表示は、第１，第２の監視手段１５−２，１５−３により制御される。例えば、第１の監視手段１５−２は、レベル切替キー１６ａ，１６ｂが押圧される毎に１づつ縮小／拡大可能限界レベル迄、可逆計数することにより現表示地図の縮尺レベルを監視し、」なる記載、及び、図面第１、２図の記載からみて、
上記刊行物には、
「異なる縮尺レベル毎に地図データを記憶してあるＣＤ−ＲＯＭ（記憶装置）１１から地図データを読み出して表示する地図データ表示方法において、
上記ＣＤ−ＲＯＭ１１に準備されている縮小／拡大用地図データの複数の縮尺レベル９〜０（ビューセットＡ，Ｂ，Ｃ）の順に、複数の発光素子２１を対応させて配列し、上記レベル切替キー１６ａ，１６ｂを押圧することにより、第２の縮尺レベル表示ＯＮ２がされている複数の発光素子の内の一つを、現表示地図の縮尺レベルを表示する第１の縮尺レベル表示ＯＮ１に変更して、対応する縮尺レベルの地図データを表示する方法。」の発明が記載されていると認められる。
２−３−３．対比・判断
　訂正明細書の請求項１〜３に係る各発明と上記刊行物に記載の発明とを対比すると、
上記刊行物には、「フォーマットにより設定されている最大階層数の内、上記記録媒体に記録されている階層数に対応した上記地図データの上記複数の縮尺率の尺度の順に表示の要素となる複数のシンボルを配列し」た構成が記載されておらず、また、これを示唆する記載もない。
　そして、訂正明細書の請求項１〜３に係る各発明は、上記構成を備えることにより、特許異議意見書に記載の「階層表示領域内に配列表示されるシンボルが少なくて済み、表示が煩雑化せず、視覚的に確認が容易に行える。」という効果を奏するものと認められる。
　したがって、訂正明細書の請求項１〜３に係る各発明は、上記刊行物に記載された発明であるとも、また、上記刊行物に記載された発明に基いて当業者が容易に発明をすることができたものであるともいうことはできない。
　また、訂正明細書の請求項１〜３に係る各発明は、他に独立して特許を受けることができないとする理由も発見しないから、特許出願の際独立して特許を受けることができるものである。
２−３−４．むすび
　以上のとおりであるから、上記訂正請求は、特許法等の一部を改正する法律（平成６年法律第１１６号）附則第６条第１項の規定によりなお従前の例によるとされる、特許法第１２０条の４第２項、同条第３項で準用する同法第１２６条第２〜４項の規定に適合し、当該訂正は認められる。
３．特許異議申立てについて
３−１．特許異議申立ての理由の概要
　特許異議申立人　パイオニア株式会社は、甲第１号証（上記刊行物）を提出し、特許明細書の請求項１〜３に係る各発明は、甲第１号証に記載された発明に基いて、当業者が容易に発明をすることができたものであるから、特許法第２９条第２項の規定により特許を受けることができないものであり、特許明細書の請求項１〜３に係る各発明の特許は同法第１１３条第１項第２号の規定により取り消すべきものである旨主張している。
３−２．当審の判断
　本件請求項１〜３に係る各発明は、訂正明細書の特許請求の範囲に記載されたとおりのものであり、特許異議申立人が提出した甲第１号証は、当審が通知した取消理由で引用した刊行物と同じであるから、上記「２−３−３．対比・判断」で述べたように、本件請求項１〜３に係る各発明は、甲第１号証に記載された発明に基いて、当業者が容易に発明をすることができたものであるとすることはできない。
３−３．むすび
　以上のとおりであるから、特許異議申立ての理由及び証拠によっては、本件請求項１〜３に係る各発明の特許を取り消すことはできない。
　また、他に本件請求項１〜３に係る各発明の特許を取り消すべき理由を発見しない。
　よって、結論のとおり決定する。
【異議決定日】
平成１１年１１月２日（１９９９．１１．２）
【訂正の要旨】
　本件特許第２８０５６８４号の訂正事項は、以下のとおりである。
〔Ｉ〕特許請求の範囲の減縮を目的として、特許明細書特許請求の範囲を以下のとおりに訂正する。
「【請求項１】複数の縮尺率に対応した地図データが記録された記録媒体から地図データを読み出して表示する地図データ表示方法において、
　フォーマットにより設定されている最大階層数の内、上記記録媒体に記録されている階層数に対応した上記地図データの上記複数の縮尺率の尺度の順に表示の要素となる複数のシンボルを配列し、上記シンボルにより表示されている縮尺率の内の一つを選択することにより対応する縮尺率の地図データを表示すること
を特徴とする地図データ表示方法。
　【請求項２】上記シンボルの表示形態は、階層表示する領域の一方の全長をＬとし、階層表示する領域内の両端の各マージンをそれぞれＭＵ、ＭＤとし、上記記録媒体に記録されている階層数をＮｍａｘとするとき、
　Ｐ＝｛Ｌ−（ＭＵ十ＭＤ）／（Ｎｍａｘ−１）
のピッチＰの間隔で各シンボルが配列され、上記選択された縮尺率のシンボルが他のシンボルと区別して表示されること
を特徴とする請求項１記載の地図データ表示方法。
　【請求項３】縮尺レベル選択キーにより上記シンボルにより表示されている縮尺率の階層を上げる方向又は下げる方向に操作すること
を特徴とする請求項１記載の地図データ表示方法。」
〔ＩＩ〕明りようでない記載の釈明を目的として、特許明細書の段落【００１３】の記載を、
「【００１３】
　【課題を解決するための手段】
　本発明に係る地図データ表示方法は、フォーマットにより設定されている最大階層数の内、上記記録媒体に記録されている階層数に対応した上記地図データの上記複数の縮尺率の尺度の順に表示の要素となる複数のシンボルを配列し、上記シンボルにより表示されている縮尺率の内の一つを選択することにより対応する縮尺率の地図データを表示することにより、上述の課題を解決する。」と訂正する。
（５４）【発明の名称】
地図データ表示方法
（５７）【特許請求の範囲】
　【請求項１】　複数の縮尺率に対応した地図データが記録された記録媒体から地図データを読み出して表示する地図データ表示方法において、
　
フォーマットにより設定されている最大階層数の内、
階層数に対応した
　を特徴とする地図データ表示方法。
　【請求項２】　
上記シンボルの表示形態は、階層表示する領域の一方の全長をＬとし、階層表示する領域内の両端の各マージンをそれぞれＭＵ、ＭＤとし、上記記録媒体に記録されている階層数をＮｍａｘとするとき、
　
Ｐ＝｛Ｌ−（ＭＵ十ＭＤ）｝／（Ｎｍａｘ−１）
のピッチＰの間隔で各シンボルが配列され、
を特徴とする請求項１記載の地図データ表示方法。
　【請求項３】　縮尺レベル選択キーにより上記シンボルにより表示されている縮尺率の階層を上げる方向又は下げる方向に操作すること
を特徴とする請求項１記載の地図データ表示方法。
　【０００１】
【発明の詳細な説明】
　【発明の属する技術分野】
　本発明は、複数の縮尺率に対応した地図データが記録された記録媒体から選択された地図データを読み出して表示する地図データ表示方法に関する。
　【０００２】
　【従来の技術】
　ナビゲーションシステムは、例えば記録媒体であるＣＤ−ＲＯＭに記録された地図データを読み出し、例えば車速及び進行方向等の位置情報を車載したハードウェア機器を介して検出し、これらの情報を合成して表示装置に表示させている。上記ハードウェア機器を用いて現在の位置に関する情報を得る方法も各種検討され、実施されている。
　【０００３】
　このナビゲーションシステムのようなハードウェアを通して見る地図は、ハードウェアに依存する表示分解能しか持っていない。従って、一画面内で同時に見ることが可能な範囲とこの範囲内に表現可能な対象物等との関係はかなり限定されてしまう。
　【０００４】
　一方、ユーザは地図の用途に応じた地図の分解能を要求する。この要求に答えるため単に縮尺を可変させて表示することは、例えば始めから詳細な地図データを記録媒体に記録しておきハードウェア側を工夫して表示させるだけで可能である。しかしながら、ユーザのさらに高い要求に答えるため、ソフトウェア側の対応が必要である。ソフトウェアの必要性を加味してハードウェアを通して見る地図は、一画面に表示される範囲の広さに対応した同じ地域を記述した地図データを複数組持つようにしている。このように複数組の地図データを持つことを地図の階層化と呼んでいる。この地図の階層化に対応して地図の縮尺も複数の種類が存在する。
　【０００５】
　ある地域の地図を表示する場合、現在の表示している地図が階層化した地図においてどの縮尺レベルを表示しているか示す必要が生じる。この縮尺レベルの階層を示す方法がいくつか提案されている。
　【０００６】
　第１の方法は、記録媒体に記録された粗い記述ながらより広い地域を一望するための縮尺レベルの階層の地図データから狭い地域を詳細に記述した地図データの階層への縮尺レベルの表示を相対的なものとして扱って画面上に表示する方法である。例えば、ある階層を境界にしてこの階層より上の階層を表示している場合、画面上に“広域”と表示し、この階層以下の階層を表示している場合、画面上に“詳細”と表示する。
　【０００７】
　第２の方法には、特に画面上に地図データを表示している縮尺レベル（階層レベル）を表示せずに操作上で指定した縮尺が存在しなければ、単にエラーメッセージを表示するものがある。
　【０００８】
　また、第３の方法は、画面の外に専用の表示装置を設けて表示している地図の階層をハイライト表示して示している。図６に示す専用の表示装置は、例えば最大３０個の縮尺レベルの階層の内現在使用しているＣＤ−ＲＯＭが６つの階層を有し、さらにこれらの６つの階層中で表示装置が現在表示している階層レベルがどこか示すことができる。このようにハードウェアで固定した数の階層を表示している。
　【０００９】
　【発明が解決しようとする課題】
　ところで、上述した第１の方法及び第２の方法は記録媒体が有する全階層中における現在の階層がどこか正確に知ることができない。また、階層を１ステップ以上移動させたり、あるいは選択した階層に現在の階層から直接的にジャンプする等の操作が困難である。
　【００１０】
　また、第３の方法は専用のハードウェアを用いていることにより、表示できる階層数が限定されてしまう。
　【００１１】
　ところが、地図データを記録するＣＤ−ＲＯＭ等は階層が数多く有しているものから２、３の階層しか有していない廉価なものまで各種のＣＤ−ＲＯＭがある。これらの各種のＣＤ−ＲＯＭすべてに対応させて現在の階層を示す場合、固定ユニットに各ＣＤ−ＲＯＭの中の最大の階層数を考慮して階層レベルを示す階層レベルバーを設けると、使用しない階層レベルバーの領域が生じてしまい、無駄になってしまう。
　【００１２】
　実際、図６に示すように最大階層数は、上述したようにフォーマットの設定によって３０層と決まっている。ハードウェアとして固定ユニットに３０層を設けても例えば６つの階層しか有していないＣＤ−ＲＯＭの現在の階層を示すと、使用される階層は下から６番目の階層までの領域Ａしか使用されず、使用しない階層レベルバーが領域Ｂで示す２４層も生じてしまう。このような固定ユニットによる階層の表示では、フォーマットに加えて縮尺レベルの階層数まで規定する必要が生じることによってＣＤ−ＲＯＭの互換性が損なわれてしまう。そこで、本発明は、このような実情に鑑みてなされたものであり、それぞれの記録媒体に記録されている情報を表示する際に柔軟に対応して上記情報の表示の互換性が損なわれないように読み出した情報を表示させることができる地図データ表示方法の提供を目的とする。
　【００１３】
　【課題を解決するための手段】
　本発明に係る地図データ表示方法は、
フォーマットにより設定されている最大階層数の内、上記記録媒体に記録されている階層数に対応した上記地図データの上記複数の縮尺率の尺度の順に表示の要素となる複数のシンボルを配列し、上記シンボルにより表示されている縮尺率の内の一つを選択することにより対応する縮尺率の地図データを表示することにより、
　【００１４】
　ここで、地図データ表示方法は、読み出した情報をデータ処理するデータ処理手段を介したデータをグラフィック表示手段による表示制御を行うことにより、２次元的に表示画面内にシンボルを表示する。また、地図データ表示方法は、この表示で選択する階層の位置を明確に表示するため選択するシンボルの位置を移動させると共に、他のシンボルと区別するため選択するシンボルをハイライト表示させる。このハイライト表示はカーソル的に移動させることができる。この表示により、ユーザは記録媒体中の階層における相対的なシンボルの位置を知る。なお、上記ハイライト表示のカーソル的な移動は、例えば縮尺レベル選択キーのユーザの操作が縮尺レベルの階層を上げる方向に操作されたものか下げる方向に操作されたかのキー操作に応じて行わせることができる。
　【００１５】
　本発明の地図データ表示方法は、シンボルの表示領域として予め一定の領域内に上記記録媒体に記録された縮尺率の個数に応じてシンボルの大きさをソフトウェア的に可変させながら縮尺率を尺度の順に表示の要素となるシンボルを配列し、選択する縮尺率のシンボルを他のシンボルと区別して表示するとともに、上記選択する縮尺率のシンボルに対応する縮尺率の地図データを表示する。また、縮尺レベル選択キーをカーソル的に操作することにより縮尺レベルの階層を上げる方向又は下げる方向に移動し、上記縮尺レベルに対応する縮尺率の地図データを表示する。
　【００１６】
　【発明の実施の形態】
　以下、本発明に係る地図データ表示方法の実施の形態について、図面を参照しながら説明する。
　【００１７】
　本発明に係る地図データ表示方法について、図１に示す概略的な機能ブロック構成を参照しながら説明する。ここで、地図データは大量のディジタルデータとして有することのできる光ディスク、例えばＣＤ−ＲＯＭ１０に書き込まれている。
　【００１８】
　地図データ表示方法は、記録媒体に記録している情報を読み出すデータ読出手段であるデータ読出部１１と、該データ読出部１１からの情報を基にして処理を施すデータ処理手段であるデータ処理部１２と、該データ処理部１２からの表示データを制御する表示制御手段であるグラフィック制御部１３と、該グラフィク制御部１３からの出力信号を表示する表示手段である表示装置１４とで構成している。
　【００１９】
　この回路構成に基づく動作は、以下に説明する通りである。図１に示すＣＤ−ＲＯＭ１０に記録されているディジタルデータは、データ読出部１１を介してデータ処理部１２に供給している。上記データ読出部１１は、概略的に説明すると光ピックアップ１１ａ及び信号処理回路１１ｂで構成している。この光ピックアップ１１ａは、後述するＭＰＵ（マイクロ処理ユニット：以下ＭＰＵと略す）１２ａからの制御信号に応じて駆動されて目標位置に移動する。この目標位置でレーザ光を照射し、ＣＤ−ＲＯＭ１０で反射する戻り光を電気信号に変換し信号処理回路１１ｂに供給する。このようにして読み出された情報は信号処理回路１１ｂからデータ処理部１２内のＭＰＵ１２ａに送る。
　【００２０】
　上記データ処理部１２は、地図データ表示装置を制御するＭＰＵ１２ａと、読み出された情報を一時的に格納しておくＲＡＭ１２ｂと、画像データを作成するデータ処理手順等が書き込まれたＲＯＭ１２ｃとで構成している。
　【００２１】
　このＭＰＵ１２ａは、入力情報をＲＡＭ１２ｂに供給して書き込むように制御している。また、ＲＡＭ１２ｂは、ＭＰＵ１２ｂからの読出信号に応じて再び読み出される。ＭＰＵ１２ｂは、ＲＯＭ１２ｃに制御信号を供給して例えばこの地図データ表示方法の表示動作の制御処理プログラムが書き込まれているから、処理プログラムに応じた表示データの作成等を行っている。この他ＲＯＭ１２ｃは地図データ表示方法の全般にわたる制御手順が書き込まれている。
　【００２２】
　このＲＯＭ１２ｃのプログラム及びＭＰＵ１２ａの制御に応じてＣＤ−ＲＯＭ１０から読み出して地図の表示を行う上で必要なデータ処理が施された地図データは、グラフィック制御部１３に送る。このグラフィック制御部１３は、ＧＤＣ（グラフィック表示コントローラ：以下ＧＤＣと略す）１３ａ及びＶ−ＲＡＭ（ビデオＲＡＭ：以下Ｖ−ＲＡＭと略す）１３ｂで構成している。グラフィック制御部１３に供給された地図データは、ＧＤＣ１３ａの制御に応じてＶ−ＲＡＭ１３ｂに送られて一時的にこの地図データが格納される。このようにＶ−ＲＡＭ１３ｂに地図データを格納することにより表示装置１４への表示がより容易に行うことができるようになる。
　【００２３】
　読み出した画像データ等の情報は、図示しない操作部の操作に応じて表示装置１４の２次元的表示画面上に表示される。
　【００２４】
　また、この地図データ表示方法は、地図データ表示方法を開始した後、またはＣＤ−ＲＯＭ１０の交換後に各種の情報の読み取りを行っている。地図データ表示方法は、このとき例えばＣＤ−ＲＯＭ１０のＴＯＣ（目次テーブル：以下ＴＯＣと略す）領域を読む。このＴＯＣ情報には記録媒体に書き込まれている複数種類の地図の縮尺総数が記録されている。この地図の縮尺総数をＮｍａｘとしてＲＡＭ１２ｂに記憶する。
　【００２５】
　このＲＡＭ１２ｂに記憶した地図の縮尺の総数Ｎｍａｘは、ＲＯＭ１２ｃに内蔵する画面表示プログラムのデータとして用いる。ＭＰＵ１２ａは、画面表示プログラムに応じた縮尺率のレベルを示す、いわゆる「縮尺バー」を予め設定した領域内に表示するためのパラメータを演算処理している。また、地図データ表示方法は実際の縮尺バーが示している縮尺レベルがどこの縮尺レベルにあるか容易に視認するため、現在表示中に対応する縮尺レベルをハイライト表示している。このハイライト表示させるため、現在表示中すなわち選択された縮尺レベルは、変数ｎを用いて表す。
　【００２６】
　地図データ表示方法において、動作開始時の地図データ表示は例えば最も広い領域を表示させる。ここで、広域を表示できる縮尺レベルほど変数ｎの値は大きい。このため、上記変数ｎの初期値はＮｍａｘに設定されている。この初期画面の表示後、ユーザは操作パネル上の縮尺レベルを選択する縮尺レベル選択キーを例えばアップダウンさせて変数ｎを変更する。このようにＣＤ−ＲＯＭ１０に含まれる縮尺総数を表示すると共に、縮尺レベル選択キーの操作に応じて表示中の縮尺レベルを知ることができるとユーザの操作性を著しく向上させることができる。
　【００２７】
　上述した地図データの階層、すなわち縮尺レベルを表示させる手順を図２に示すフローチャートを参照しながら説明する。また必要に応じて図１を参照する。
　この縮尺レベルを表示は、地図データ表示するルーチンの一部である。地図データ表示方法を起動してＣＤ−ＲＯＭ１０をセットする。
　【００２８】
　ステップＳ１０でセットしたＣＤ−ＲＯＭ１０からディジタルデータを読み出す。
　【００２９】
　ステップＳ１１でＣＤ−ＲＯＭ１０に書き込まれているＴＯＣ情報も読み出しＲＡＭ１２ｂに書き込んで記憶しておく。このステップでＣＤ−ＲＯＭ１０が有する総縮尺レベルの階層数をＮｍａｘとして読み出してステップＳ１２に進む。
　【００３０】
　ステップＳ１２では初期における画像表示する縮尺レベルを変数Ｎｉｎｉｔを用いて表し、例えば変数Ｎｉｎｉｔを階層の総数値であるＮｍａｘに設定する。また、実際に表示する階層を示す変数ｎにＮｉｎｉｔの値を代入して図示しないが画面表示ルーチンを経て初期画面を表示する。
　【００３１】
　次に、ステップＳ１３で縮尺レベル選択キーが押圧操作されたかどうかに応じて以降の表示動作を変更する。この縮尺レベル選択キーの押圧操作が行われなかった（Ｎｏ）場合、ステップＳ１３に戻る。また、縮尺レベル選択キーの押圧操作が行われた（Ｙｅｓ）場合、ステップＳ１４に進む。このステップＳ１３は、縮尺レベル選択キーが押圧操作に応じて割込がかけられるようにさせてステップＳ１４に進ませてもよい。
　【００３２】
　ステップＳ１４で縮尺レベル選択キーのユーザの操作が縮尺レベルの階層を上げる方向に操作されたものか、下げる方向に操作されたものかの判別を行っている。この操作は、上述したハイライト表示をカーソル的に移動することにより行う。表示する階層を上げる方向に操作したと判別したとき、ステップＳ１５に進む。一方、表示する階層を下げる方向に操作したと判別したとき、ステップＳ１７に進む。
　【００３３】
　ステップＳ１５では、階層を上げる前の変数ｎの値が総数Ｎｍａｘより小さいかどうかの判別を行っている。変数ｎの値が総数Ｎｍａｘ以上の大きな値になっている場合、例えば表示可能な最大の広域を表示するように制御すると共に、この表示及び縮尺レベル表示について何らの変更も行わずにステップＳ１３に戻す。また、変数ｎの値が総数Ｎｍａｘより小さい場合ステップＳ１６に進む。
　【００３４】
　ステップＳ１６では上記変数ｎの値を＋１だけ歩進させて変数ｎの値を入れ換えてサブルーチンＳＵＢに進む。
　【００３５】
　表示する階層を下げる方向に操作したステップＳ１７では、階層を下げる前の変数ｎの値がＣＤ−ＲＯＭ１０の最下層（ｎ＝１）以下の小さな値になっている場合、例えば表示中のＣＤ−ＲＯＭ１０において最も詳細な地図データを表示するように制御すると共に、この表示及び縮尺レベル表示について何らの変更も行わずにステップＳ１３に戻す。また、変数ｎの値が１より大きい場合ステップＳ１８に進む。
　【００３６】
　ステップＳ１８では上記変数ｎの値を−１だけ減小させて変数ｎの値を入れ換えてサブルーチンＳＵＢに進む。
　【００３７】
　サブルーチンＳＵＢは、変更された変数ｎの値に応じた表示変更を行う。この表示変更に応じて縮尺レベルの表示におけるハイライト表示位置を変更して表示するとともに、上記変数ｎの値に対応する縮尺レベルの地図データを表示する。この表示が終了したならばステップＳ１３に戻って次の縮尺レベル選択キーの操作が行われるまで待機する。
　【００３８】
　この表示画面上に縮尺レベルの表示を行った一例を図３に示す。図３に示す表示画面１５は、画面右下に予め一定の確保した領域１６を設けている。この領域１６内にＣＤ−ＲＯＭ１０に記録されている階層数に応じた表示の要素となるシンボルが表示される。現在、地図データ表示方法に従って読んでいるＣＤ−ＲＯＭ１０は縮尺レベルを８階層有するものであることが容易に判る。また、この階層の位置を表示するモードでは、現在ハイライト表示している最下位の階層から２つ上の階層Ｓ３を選択中、または、選択しようとしている階層をカーソル的に表示している。このように表示すると、上述したように８階層中の相対位置を知ることが視覚的に容易に判別することができる。また、最下位の階層の縮尺レベルの具体的な縮尺率が既知のとき、例えば上記階層Ｓ３の縮尺率も知ることができる。
　【００３９】
　この地図データ表示方法におけるシンボル表示を制御する手順について図４に示すフローチャートを参照しながら説明する。また、これらのシンボル表示制御を説明するために図５に示す模式図を参照する。
　【００４０】
　この地図データ表示方法におけるシンボル表示領域は、予め領域を設定している。この表示領域が図５に示す表示領域２０である。この表示領域２０内に階層を示すいわゆる縮尺レベルバーを表示する。
　【００４１】
　表示処理の開始と共に、ステップＳ２０に進み、ＣＤ−ＲＯＭ１０に記録している縮尺レベルの階層総数Ｎｍａｘを読み出す。この階層表示に用いられる縮尺レベルバーは１つのユニット（以下ユニットと呼ぶ）として扱う。
　【００４２】
　ステップＳ２０では読み出した階層総数Ｎｍａｘから各ユニット間のピッチＰを計算する。この計算において図４に示す階層表示する領域の一方の全長をＬとする。また、再生しているＣＤ−ＲＯＭ１０の階層表示領域２０の上端２０ａからの最上位の階層、すなわち最も広い領域を表示するレベルのユニットまでの幅２１を上端マージンＭＵが設定される。同様に、階層表示領域２０の下端２０ｂからの最下位の階層、すなわち最も詳細な領域を表示するレベルのユニットまでの幅２２を下端マージンＭＤが設定される。
　【００４３】
　階層総数Ｎｍａｘから各ユニット間のピッチＰの個数が、Ｎｍａｘ−１で表されることは明らかである。従って、上記マージン分を引いた有効長を（Ｎｍａｘ−１）分割することにより、ピッチＰは、
　Ｐ＝｛Ｌ−（ＭＵ十ＭＤ）｝／（Ｎｍａｘ−１）・・・（１）
で求めることができる。このピッチＰを求めてステップＳ２１に進む。
　【００４４】
　ステップＳ２１では有効長におけるピッチＰから図５に示すユニットサイズｈを求める。このユニットサイズｈの条件は、少なくとも上記ピッチＰより小さいもの（ｈ＜Ｐ）が好ましい。
　【００４５】
　例えばユニットサイズｈは、
　ｈ＝Ｐ／２・・・・・・・・・・・・・・・・・・・・（２）
に設定してユニットの幅を表す。このユニットサイズｈを設定してステップＳ２２に進む。
　【００４６】
　ステップＳ２２ではステップＳ２０及びステップＳ２１で求めたパラメータを基にして表示領域２０内に各階層を示すユニット表示のための描画データを作成する。図５に示すように表示領域２０内に例えば最下位のユニット１から最上位のユニットＮｍａｘまでの描画データを作成し、この作成終了後、ステップＳ２３に進む。
　【００４７】
　ステップＳ２３では、縮尺レベル選択キーで指定された縮尺に対応するユニット２１を前述した手順から求める。
　【００４８】
　ステップＳ２４ではステップＳ２３で指定されたユニットの描画データに対してハイライト表示させるためのデータを追加する。
　【００４９】
　ステップＳ２５では、前述までの手順で作成された描画データを例えば図１に示したＶ−ＲＡＭ１３ｂに供給し、描画処理を行う。また、Ｖ−ＲＡＭ１３ｂからのデータを表示装置１４に供給して表示する。
　【００５０】
　表示装置１４への描画データを出力させてこの表示処理の手順を終了する。
　【００５１】
　このように構成することにより、表示している地図の縮尺レベルが使用している記録媒体の有する総数の中で相対的な縮尺レベルとしてどこのレベルにあるかを視覚的に瞬時にとらえることができ、大幅な縮尺レベルの変更を行うことも容易になる。この縮尺レベルの最上位、あるいは最下位のレベルの縮尺が明らかな場合、絶対的な縮尺レベルも知ることができる。
　【００５２】
　また、いわゆる縮尺レベルバーの表示がユニット数が変化しても対応して表示領域内に表示させることができる。このことにより、ハードウェアによる固定ユニットを使用した際に情報の表示においてこの情報の互換性を保つために生じた無駄な表示領域をなくして記録媒体が有する縮尺を有効にシンボル表示することができる。換言すれば、画面の有効な利用を図ることができ、記録媒体が代わっても柔軟に対応してすぐに縮尺率の数及び表示している縮尺レベルも知ることができる。
　【００５３】
　【発明の効果】
　以上の説明からも明らかなように、本発明の地図データ表示方法によれば、複数の縮尺率に対応した地図データが記録された記録媒体から地図データを読み出して表示する地図データ表示方法において、上記記録媒体に記録されている上記地図データの上記複数種類の縮尺率の尺度の順に表示の要素となるシンボルを配列し、選択した縮尺率のシンボルに対応する地図データを表示すると共に上記シンボルを他のシンボルと区別して表示することにより、表示している地図の縮尺レベルが使用している記録媒体の有する総数の中で相対的な縮尺レベルとしてどこのレベルにあるかを視覚的に瞬時にとらえることができ、大幅な縮尺レベルの変更を行うことも容易になる。また、縮尺レベルの最上位、あるいは最下位のレベルの縮尺が明らかな場合、絶対的な縮尺レベルも知ることができる。すなわち、目的の場所の検索時にユーザが要求する情報の階層レベルに進むことが簡単にでき、検索等の作業を効率的に行うことができる。
　【００５４】
　また、縮尺率を変更する操作のときには縮尺レベル操作キーによって上記区別して表示された縮尺率のシンボルに対応する地図データの縮尺レベルの移動をカーソル的に上げる方向又は下げる方向に操作することができるので、地図データの縮尺レベルの総体の中での絶対的な位置及び相対的な位置を視覚的に確認しながら操作を軽快に進めることができ、操作の負担を軽減すると共に操作の能率を向上させる。
【図面の簡単な説明】
　【図１】
　地図データ表示方法の概略的なブロック構成を示す図である。
　【図２】
　図１に示した概略的なブロック構成を用いて縮尺レベルの表示を変更するための手順を説明するフローチャートである。
　【図３】
　図２に示したフローチャートに沿って表示制御を行った場合の表示画面の一例を示す模式図である。
　【図４】
　予め設定された表示領域にソフトウェア的に階層を示すユニットを表示するための手順を説明するフローチャートである。
　【図５】
　図３に示す手順に沿って予め設定された表示領域にソフトウェア的に階層を示すユニットを表示させるために必要な各パラメータの関係を示す模式図である。
　【図６】
　従来の縮尺レベル表示をハードウェアによって構成した固定ユニットによる表示の一例を示す模式図である。
　【符号の説明】
１０　ＣＤ−ＲＯＭ、１１　データ読出部、１２　データ処理部、１３　グラフィック制御部、１４　表示装置